(57)【要約】  通路の開度が小さい時に発生する弁座と弁体との繰り返し衝突によるノイズの発生を防止し、通路の開度が安定なソレノイドバルブを提供する。   ＰＷＭ制御されるソレノイドによって該弁座と該弁体との間で該通路の開度を変更して作動流体の容量又は圧力を変更し得るソレノイドバルブにおいて、前記ソレノイドの駆動により直接駆動される往復動部材の外周に接触する摩擦部材を前記駆往復動部材の周囲の静止側部材に設けたことを特徴としている。
2013105411.tif 000002
【特許請求の範囲】
【請求項１】
ＰＷＭ制御されるソレノイドによって該弁座と該弁体との間で該通路の開度を変更して作動流体の容量又は圧力を変更し得るソレノイドバルブにおいて、 
前記ソレノイドの駆動により直接駆動される往復動部材の外周に接触する摩擦部材を前記駆往復動部材の周囲の静止側部材に設けたことを特徴とするソレノイドバルブ。 
【請求項２】
前記ソレノイドの駆動により直接駆動され、摩擦部材に接触する往復動部材がソレノイドの駆動ロッドであり、前記静止側部材が固定鉄心であることを特徴とする請求項１記載のソレノイドバルブ。 
【請求項３】
前記ソレノイドの駆動により直接駆動され、摩擦部材に接触する往復動部材が弁体であり、前記静止側部材が弁ハウジングであることを特徴とする請求項１記載のソレノイドバルブ。 
【請求項４】
前記摩擦部材は、ゴム材料から形成されたゴムリングにより構成されていることを特徴とする請求項１ないし３のいずれか１項に記載のソレノイドバルブ。 
【請求項５】
前記ゴムリングの内径側には、複数の突起が設けられていることを特徴とする請求項４記載のソレノイドバルブ。 
【請求項６】
前記ゴムリングの前記突起の設けられた箇所は、外径側の部分が削がれた肉薄部とされていることを特徴とする請求項５記載のソレノイドバルブ。 
【請求項７】
前記摩擦部材は、合成樹脂材料から形成され、断面形状が略コ字状の合成樹脂製リングにより構成されていることを特徴とする請求項１ないし３のいずれか１項に記載のソレノイドバルブ。 
【請求項８】
前記断面形状が略コ字状の合成樹脂製リングにより構成されている摩擦部材の前記往復動部材と接触する内径側リング部が、周方向に複数の切欠部を有する形状に形成されていることを特徴とする請求項７記載のソレノイドバルブ。 
【請求項９】
前記断面形状が略コ字状の合成樹脂製リングにより構成されている摩擦部材の外径側リング部に、前記略コ字状の開口側と反対側に開口するリング状溝が形成されていることを特徴とする請求項７又は８記載のソレノイドバルブ。 
【請求項１０】
前記摩擦部材は、前記静止側部材の内面に形成された凹部に両側面が挟着されて固定されていることを特徴とする請求項４ないし９のいずれか１項に記載のソレノイドバルブ。 
【請求項１１】
前記静止側部材の内面に形成された凹部の一方の側にバックアップリングが設けられ、前記摩擦部材は、前記バックアップリングにより凹部の他方の側に押し付けられて固定されていることを特徴とする請求項４ないし９のいずれか１項に記載のソレノイドバルブ。 
【発明の詳細な説明】
【技術分野】
【０００１】
本発明は、作動流体の容量又は圧力を可変制御するソレノイドバルブに関し、特に、自動車等の空調システムに用いられる容量可変型圧縮機等の吐出量を圧力負荷に応じて制御する容量制御弁、あるいは、自動車用オートマチックトランスミッション等に用いられるソレノイドバルブに関する。 
【背景技術】
【０００２】
例えば、自動車等の空調システムに用いられる斜板式容量可変型圧縮機は、エンジンの回転力により回転駆動される回転軸、回転軸に対して傾斜角度を可変に連結された斜板、斜板に連結された圧縮用のピストン等を備え、斜板の傾斜角度を変化させることにより、ピストンのストロークを変化させて冷媒ガスの吐出量を制御するものである。 
この斜板の傾斜角度は、冷媒ガスを吸入する吸入室の吸入圧力Ｐｓ、ピストンにより加圧した冷媒ガスを吐出する吐出室の吐出圧力Ｐｄ、斜板を収容した制御室（クランク室）の制御室圧力Ｐｃを利用しつつ、電磁力により開閉駆動される容量制御弁を用いて、制御室内の圧力を適宜制御し、ピストンの両面に作用する圧力のバランス状態を調整することで連続的に変化させ得るようになっている。 【０００３】
このような容量制御弁は、斜板式容量可変型圧縮機の吐出室とクランク室とを接続する通路に弁座と弁体とが設けられ、ＰＷＭ（Pulse Width Modulation）制御によって弁座と弁体との間で通路の開度を変更する。例えば、車両の加速時にＰＷＭ制御によって通路の開度を大きくすれば、吐出室内の高圧の冷媒ガスがクランク室に供給され易くなり、吐出容量が小さくなる。逆に、車両の定速時にＰＷＭ制御によって通路の開度を小さくすれば、吐出室内の高圧の冷媒ガスがクランク室に供給され難くなり、吐出容量が大きくなる。こうして、この容量可変型圧縮機では、車速等に応じて吐出容量が適宜変更され得ることとなる。この間、この斜板式容量可変型圧縮機はＰＷＭ制御の入力信号、ある特定の周波数（例えば４００〜５００Ｈｚ）のＰＷＭ電流において、振動が大きくなることがある。【０００４】
このため、通路の開度が小さい時には、弁座と弁体との相対距離が小さいため、弁座と弁体とが無数に繰り返し衝突し、車内外で希に聞き取れるようなノイズが発生する。また、衝突後には、弁座と弁体との反発によって開度がより大きくなることから、開度が不安定になる場合がある。 【０００５】
従来、通路の開度を安定させるため、弁座と前記弁体との間に、前記通路の開度が小さい時に該弁座と該弁体との衝突により発生する、該弁座と該弁体との反発を抑制する制振部材を備えたものが知られている（例えば、特許文献１参照。）。 
また、弁体の跳ね上がりによる共振現象を抑制するため、開閉方向に振動する弁体に対して摺動抵抗を与えるリーフスプリングからなる共振抑制部材を備えたものが知られている（例えば、特許文献２参照。）。 
さらに、弁体の弁座近傍での共振現象を抑制するため、弁体とソレノイドの付勢力を弁体に伝達する伝達部材とが半径方向の微少クリアランスをもって嵌合され、互いにガス冷媒を介して密着して動くようにしたものが知られている（例えば、特許文献３参照。）。 
【先行技術文献】
【特許文献】
【０００６】
【特許文献１】特開２０１１−１４９３７７号公報
【特許文献２】特開２００５−１７１９０８号公報
【特許文献３】特開２００５−１２０８４９号公報
【発明の概要】
【発明が解決しようとする課題】
【０００７】
しかしながら、上記従来技術１では、制振部材が円板状の防振合金からなり、この円板状の防振合金をコイルスプリングで弁座に押し付ける構成であるため、防振合金の他にコイルスプリングが必要であり、また、コイルスプリングを配置するスペースも必要であるため、装置が複雑で大型化するという問題があった。 
また、上記従来技術２では、吐出圧力Ｐｄを受けるポートの側にボール状の弁体が配置され、スプリングによって弁体が弁座の着座方向に付勢されている形式の容量制御弁に適用可能であるが、その他の形式の容量制御弁に適用することが困難であるという問題があった。 
さらに、上記従来技術３では、ソレノイドの付勢力を弁体の開方向にのみ伝達する形式の容量制御弁に適用可能であるが、その他の形式の容量制御弁に適用することが困難であるという問題があった。 【０００８】
本発明は、上記従来技術の有する問題点を解決するためになされたものであって、ソレノイドの駆動により軸方向に直接駆動される往復動部材の外周にフリクションを付与することで、通路の開度が小さい時に発生する弁座と弁体との繰り返し衝突によるノイズの発生を防止し、通路の開度が安定なソレノイドバルブを提供することを目的とするものである。 
【課題を解決するための手段】
【０００９】
上記目的を達成するため本発明のソレノイドバルブは、第１に、 
ＰＷＭ制御されるソレノイドによって該弁座と該弁体との間で該通路の開度を変更して作動流体の容量又は圧力を変更し得るソレノイドバルブにおいて、 
前記ソレノイドの駆動により直接駆動される往復動部材の外周に接触する摩擦部材を前記駆往復動部材の周囲の静止側部材に設けたことを特徴としている。 
この特徴によれば、ＰＷＭ制御の入力信号によるソレノイドバルブの微振動にもかかわらず、通路の開度が小さい時に発生する弁座と弁体との繰り返し衝突によるノイズの発生を防止し、通路の開度が安定なソレノイドバルブを提供することができる。 
なお、前記ソレノイドの駆動により直接駆動される往復動部材には、ソレノイドの駆動を第一に受ける駆動ロッドはもちろん、この駆動ロッドに一体的に連結された部材、例えば、弁体などが包含される。 【００１０】
また、本発明のソレノイドバルブは、第２に、第１の特徴において、前記ソレノイドの駆動により直接駆動され、摩擦部材に接触する往復動部材がソレノイドの駆動ロッドであり、前記静止側部材が固定鉄心であることを特徴としている。 
この特徴によれば、摩擦部材を固定鉄心内に設けることができ、装置をコンパクトにすることができる。また、駆動ロッドの径は、通常、あまり大きくないことから、適度なフリクションを付与することができる。 【００１１】
また、本発明のソレノイドバルブは、第３に、第１の特徴において、前記ソレノイドの駆動により直接駆動され、摩擦部材に接触する往復動部材が弁体であり、前記静止側部材が弁ハウジングであることを特徴としている。 
この特徴によれば、弁座に繰り返し衝突する弁体自身にフリクションを付与することができるので、効果的にノイズの発生を防止することができ、通路の開度を安定なものとすることができる。 【００１２】
また、本発明のソレノイドバルブは、第４に、第１ないし第３のいずれかの特徴において、 前記摩擦部材は、ゴム材料から形成されたゴムリングにより構成されていることを特徴としている。 
この特徴によれば、ゴム材料は他の可塑性材料に対し温度変化による寸法変化の影響が小さく、かつ、硬度も低いので、周囲の温度が変化しても、往復動部材である駆動ロッドまたは弁体に対する締め付け力の変動を少なくすることができる。また、リング状に形成することも容易である。 【００１３】
また、本発明のソレノイドバルブは、第５に、第４の特徴において、前記ゴムリングの内径側には、複数の突起が設けられていることを特徴としている。 
この特徴によれば、往復動部材である駆動ロッドまたは弁体に対するフリクションが過度に大きくなるのを防止することができる。また、摩擦部材は、突起だけが駆動ロッドの外周面に接触するので、摩擦部材の感圧体側と可動鉄芯側との間で差圧が発生することはなく、可動鉄芯側に高圧の背圧が溜まるような事態を防止できる。【００１４】
また、本発明のソレノイドバルブは、第６に、第５の特徴において、前記ゴムリングの前記突起の設けられた箇所は、外径側の部分が削がれた肉薄部とされていることを特徴としている。 
この特徴によれば、ゴムリングが液冷媒により膨潤された場合においても、フリクションの増大を防止し、適度なフリクションとすることができる。 【００１５】
また、本発明の容量制御弁は、第７に、第１ないし第３のいずれかの特徴において、前記摩擦部材は、合成樹脂材料から形成され、断面形状が略コ字状の合成樹脂製リングにより構成されていることを特徴としている。 
この特徴によれば、温度変化による寸法変化の影響を、略コ字状の断面形状で一層緩和することができ、往復動部材である駆動ロッドまたは弁体に対する締め付け力の変動を少なくすることができる。 【００１６】
また、本発明のソレノイドバルブは、第８に、第７の特徴において、前記断面形状が略コ字状の合成樹脂製リングにより構成されている摩擦部材の前記往復動部材と接触する内径側リング部が、周方向に複数の切欠部を有する形状に形成されていることを特徴としている。 
この特徴によれば、往復動部材である駆動ロッドまたは弁体に対するフリクションが過度に大きくなるのを防止することができる。 【００１７】
また、本発明のソレノイドバルブは、第９に、第７又は第８の特徴において、前記断面形状が略コ字状の合成樹脂製リングにより構成されている摩擦部材の外径側リング部に、前記略コ字状の開口側と反対側に開口するリング状溝が形成されていることを特徴としている。 
この特徴によれば、前記断面略コ字状のリングのフランジ部による寸法変化の影響を除去することができる。 【００１８】
また、本発明のソレノイドバルブは、第１０に、第４ないし第９のいずれかの特徴において、前記摩擦部材は、前記静止側部材の内面に形成された凹部に両側面が挟着されて固定されていることを特徴としている。 
この特徴によれば、ゴムリングの振れが抑制され、往復動部材である駆動ロッドまたは弁体に対するフリクションの付与を容易にすることができる。 【００１９】
また、本発明のソレノイドバルブは、第１１に、第４ないし第９のいずれかの特徴において、前記静止側部材の内面に形成された凹部の一方の側にバックアップリングが設けられ、前記摩擦部材は、前記バックアップリングにより凹部の他方の側に押し付けられて固定されていることを特徴としている。 
この特徴によれば、ゴムリングの振れが抑制され、往復動部材である駆動ロッドまたは弁体に対するフリクションの付与を容易にすることができる。また、ゴムリングの装着を容易なものとすることができる。 
【図面の簡単な説明】
【００２０】
【図１】本発明の実施の形態１及び２に係る容量制御弁を装着した容量可変型圧縮機を示す断面図である。
【図２】本発明の実施の形態１に係る容量制御弁を示す断面図である。
【図３】本発明の実施形態１及び２に係る容量制御弁に装着される摩擦部材の第１の例を示す斜視図である。
【図４】図３に示す摩擦部材の装着形式の一例を示す要部断面図である。
【図５】図３に示す摩擦部材の装着形式の他の例を示す要部断面図である。
【図６】本発明の実施形態１及び２に係る容量制御弁に装着される摩擦部材の第２の例を示す正面図である。
【図７】図６のＡ−Ａ断面図である。
【図８】本発明の実施の形態２に係る容量制御弁を示す縦断面図である。
【発明を実施するための形態】
【００２１】
本発明に係るソレノイドバルブを実施するための形態を容量制御弁を例にして詳細に説明するが、本発明はこれに限定されて解釈されるものではなく、本発明の範囲を逸脱しない限りにおいて、当業者の知識に基づいて、種々の変更、修正、改良を加えうるものである。 
【実施例】
【００２２】
図１は、本発明の実施の形態１及び２に係る容量制御弁を装着した容量可変型圧縮機を示す断面図である。 
容量可変型圧縮機Ｍは、吐出室１１、制御室（クランク室ともいう。）１２、吸入室１３、複数のシリンダ１４、シリンダ１４と吐出室１１とを連通させ吐出弁１１ａにより開閉されるポート１１ｂ、シリンダ１４と吸入室１３とを連通させ吸入弁１３ａにより開閉されるポート１３ｂ、外部の冷却回路に接続される吐出ポート１１ｃ及び吸入ポート１３ｃ、吐出室１１と制御室１２とを連通させる吐出側通路としての連通路１５、前述の吐出側通路としての役割及び制御室１２と吸入室１３とを連通させる吸入側通路としての役割を兼ねる連通路１６、吸入側通路としての連通路１７等を画定するケーシング１０、制御室（クランク室）１２内から外部に突出して回動自在に設けられた回転軸２０、回転軸２０と一体的に回転すると共に回転軸２０に対して傾斜角度を可変に連結された斜板２１、各々のシリンダ１４内に往復動自在に嵌合された複数のピストン２２、斜板２１と各々のピストン２２を連結する複数の連結部材２３、回転軸２０に取り付けられた被動プーリ２４、ケーシング１０に組み込まれた本発明の容量制御弁Ｖ等を備えている。 
また、容量可変型圧縮機Ｍには、制御室（クランク室）１２と吸入室１３とを直接連通する連通路１８が設けられており、該連通路１８には固定オリフィス１９が設けられている。 
さらに、この容量可変型圧縮機Ｍには、吐出ポート１１ｃ及び吸入ポート１３ｃに対して冷却回路が接続され、この冷却回路には、コンデンサ（凝縮器）２５、膨張弁２６、エバポレータ（蒸発器）２７が順次に配列して設けられている。 【００２３】
〔実施の形態１〕 
図２は、本発明の実施の形態１に係る容量制御弁を示す断面図である。 
容量制御弁Ｖは、金属材料又は樹脂材料により形成された弁ハウジング３０、弁ハウジング３０内に往復動自在に配置された弁体４０、弁体４０を一方向に付勢する感圧体５０、弁ハウジング３０に接続されて弁体４０に電磁駆動力を及ぼすソレノイド６０等を備えている。 【００２４】
ソレノイド６０は、弁ハウジング３０に連結されるケーシング６２、一端部が閉じたスリーブ６３、ケーシング６２及びスリーブ６３の内側に配置された円筒状の固定鉄芯６４、固定鉄芯６４の内側において往復動自在にかつその先端が弁体４０に連結されて連通路４４を形成する駆動ロッド６５、駆動ロッド６５の他端側に固着された可動鉄芯６６、第１弁部４１を開弁させる方向に可動鉄芯６６を付勢するコイルスプリング６７、スリーブ６３の外側にボビンを介して巻回された励磁用のコイル６８等を備えている。 【００２５】
弁ハウジング３０は、吐出側通路として機能する連通路３１、３２、３３、弁体４０の連通路４４と共に吸入側通路として機能する連通路３３、３４、吐出側通路の途中に形成された第１弁室３５、吸入側通路の途中に形成された第２弁室３６、弁体４０をガイドするガイド通路３７、吐出側通路及び吸入側通路の制御室１２寄りに形成された第３弁室３８等を備えている。また、弁ハウジング３０には、第３弁室３８を画定すると共に弁ハウジング３０の一部を構成する閉塞部材３９が螺合により取り付けられている。 【００２６】
すなわち、連通路３３及び第３弁室３８は、吐出側通路及び吸入側通路の一部を兼ねるように形成され、連通路３２は、第１弁室３５と第３弁室３８とを連通させると共に弁体４０を挿通させる（流体が流れる隙間を確保しつつ弁体４０を通す）弁孔を形成している。なお、連通路３１、３３、３４は、それぞれ周方向に放射状に配列して複数（例えば、９０度の間隔をおいて４個）形成されている。 
そして、第１弁室３５において、連通路（弁孔）３２の縁部には、弁体４０の第１弁部４１が着座する座面３５ａが形成され、又、第２弁室３６において、固定鉄芯６４の端部には、弁体４０の第２弁部４２が着座する座面３６ａが形成されている。 【００２７】
弁体４０は、略円筒状に形成されて一端側に第１弁部４１、他端側に第２弁部４２、第１弁部４１を挟んで第２弁部４２と反対側に後付けにより連結された第３弁部４３、その軸線方向において第２弁部４２から第３弁部４３まで貫通し吸入側通路として機能する連通路４４等を備えている。 
第３弁部４３は、第１弁室３５から第３弁室３８に向かって縮径した状態から拡径された形状をしており、縮径部４３ａが連通路（弁孔）３２に挿通されると共に、拡径部４３ｂにおいてアダプタ５３と対向するテーパ状の係合面４３ｃが形成されている。 【００２８】
感圧体５０は、ベローズ５１及びアダプタ５３等を備えている。ベローズ５１は、その一端が閉塞部材３９に固定され、その他端（自由端）にアダプタ５３を保持している。 
アダプタ５３は、第３弁部４３に先端が係合する断面が略コ字状をした中空円筒形部を有し、中空円筒形部の先端に第３弁部４３のテーパ状の係合面４３ｃと対向して係合及び離脱する環状の座面５３ａを備えている。 
感圧体５０は、第３弁室３８内に配置されて、その伸長（膨張）により第１弁部４１を開弁させる方向に付勢力を及ぼすと共に周囲（第３弁室３８及び弁体４０の連通路４４内）の圧力増加に伴って収縮して第１弁部４１に及ぼす付勢力を弱めるように作動する。 【００２９】
上記の容量制御弁において、本発明では、ソレノイド６０の固定鉄芯６４の内面に凹部７０が形成され、該凹部７０に駆動ロッド６５の外周に接触する摩擦部材７１が固定されている。摩擦部材７１は、駆動ロッド６５に接触することで摩擦（フリクション）を発生させ、駆動ロッド６５の動きに対して適度なブレーキ力を付与するためのものである。 
なお、摩擦部材７１は、シールをするためのものではないため、摩擦部材７１の感圧体５０側と可動鉄芯６６側とでの差圧はない。 【００３０】
〔摩擦部材の第１の例〕 
図３は、本発明の実施形態１及び２に係る容量制御弁に装着される摩擦部材の第１の例を示す斜視図である。 
摩擦部材７１は、ゴム材料から形成され、断面形状が隅部が面取りされた略矩形状をしたリングにより構成されており、該ゴムリング７２の内径側には、周方向に等配に複数の突起７３が設けられている。この突起７３は、駆動ロッド６５に対して過剰なブレーキ力が作用しないようにするためのものであり、その数及び形状は、特に限定されないが、形状については駆動ロッド６５の往復動に適応できるようなものが望ましい。例えば、図３では、半球状の突起が４個等配に設けられている。ゴムリング７２の直径は、突起７３が駆動ロッド６５の外周面に適度な圧力で接触し変形する程度に設定される。 【００３１】
また、ゴムリング７２の突起７３の設けられた箇所は、外径側の部分が削がれた肉薄部７４とされている。この肉薄部７４は、冷媒によりゴムリング７２が膨潤しても、駆動ロッド６５に対して過剰なブレーキ力が作用しないようにするためのものであり、外径側において突起７３の径方向の中心線の両側から中心に向かって滑らかに深くなるように側面視で円弧状に削ぎ落とされている。 【００３２】
ゴムリング７２を形成するゴム材料としては、特段限定されるものではないが、ニトリルゴム（ＮＢＲ）、水素添加ニトリルゴム（ＨＮＢＲ）、アクリルゴム（ＡＣＭ）、シリコーンゴム（ＶＭＱ）、フルオロシリコーンゴム（ＦＶＭＱ）、ふっ素ゴム（ＦＫＭ）、エチレンプロピレンゴム（ＥＰＤＭ）、クロロプレンゴム（ＣＲ）、クロロスルフォン化ポリエチレン（ＣＳＭ）、スチレンブタジエンゴム（ＳＢＲ）、ブチルゴム（ＩＩＲ）及びウレタンゴム（ＡＵ）が適している。 【００３３】
〔ゴムリングの装着形式の一例〕 
図４は、図３に示す摩擦部材としてのゴムリング７２の装着形式の一例を示す要部断面図である。 
固定鉄芯６４の内面の凹部７０は、断面略矩形状をなし、ゴムリング７２の両側面を挟着する幅を有し、ゴムリング７２の径方向の厚みとほぼ同じか僅かに大きい深さを有するように設定されている。ゴムリング７２が凹部７０に装着された場合、突起７３の内面が駆動ロッド６５の外周面に接触するとともに、肉薄部７４の部分を除いてゴムリング７２の両側が固定鉄芯６４の凹部７０で挟着支持されるようになっている。このように、ゴムリング７２の両側が挟着支持されるため、軸方向への振れが抑制され、駆動ロッド６５に対する摩擦が与えられ易いものとなっている。また、摩擦部材７１を構成するゴムリング７２は、突起７３だけが駆動ロッド６５の外周面に接触するので、摩擦部材７１の感圧体５０側と可動鉄芯６６側との間で差圧が発生することはなく、可動鉄芯６６側に高圧の背圧が溜まるような事態を防止できる。【００３４】
〔ゴムリングの装着形式の他の例〕 
図５は、図３に示す摩擦部材としてのゴムリング７２の装着形式の他の例を示す要部断面図である。 
固定鉄芯６４の内面の凹部７５は、ゴムリング７２の奥側の面７６が当接できる受面７７を有し、入口側が開放された形状をしており、ゴムリング７２の径方向の厚みとほぼ同じか僅かに大きい深さを有するように設定されている。そして、凹部７５の入口側にはバックアップリング７８が装着され、ゴムリング７２を受面７７との間で挟着するようになっている。ゴムリング７２が凹部７５に装着された場合、ゴムリング７２の突起７３の内面が駆動ロッド６５の外周面に接触するとともに、肉薄部８３の部分を除いてゴムリング７２の両側が凹部７０の受面７７とバックアップリング７８とで挟着支持されるようになっている。このように、ゴムリング７２の両側が挟着支持されるため、軸方向への振れが抑制され、駆動ロッド６５に対する摩擦が与えられ易いものとなっている。また、凹部７５の入口側が開放された形状をしているため、ゴムリング７２の装着が容易でり、さらに、ゴムリング７２に対する挟着の強さをバックアップリング７８で調節できる。 【００３５】
〔摩擦部材の第２の例〕 
図６は、本発明の実施形態１及び２に係る容量制御弁に装着される摩擦部材の第２の例を示す正面図であり、図７は、図６のＡ−Ａ断面図である。 
摩擦部材としてのリング８１は、合成樹脂材料から形成され、外径側と内径側との中間部には側方に開口するリング状溝８２が形成され、断面形状が略コ字状（図７参照。）をしたリングにより構成されている。リング状溝８２は、合成樹脂製リング８１が温度変化を受けた場合、その温度変化による図７の矢印で示す径方向内方への寸法変化を緩和するためのものである。 【００３６】
断面形状が略コ字状の合成樹脂製リング８１の駆動ロッド６５の外周面に接触する内径側リング部８３は、図６に示すように、周方向に等配に設けられた複数の切欠部８４により周方向において分断されている。切欠部８４は、内径側リング部８３が駆動ロッド６５に対して過剰なブレーキ力が作用しないようにするためのものであり、その数及び形状は、特に限定されないが、形状については、例えば図６に示すように、内径側リング部８３の切り欠かれない残りの部分が正面から見て扇形になるようにしてもよい。図６では、略砲弾形の切欠部８４が内径側リング部８３から半径方向外方の外径側リング部８６まで延びており、正面から見て扇形の４個の内径側リング部８３が形成されている。ゴムリング８１の直径は、内径側リング部８３の内面が駆動ロッド６５の外周面に適度な圧力で接触し変形する程度に設定される。 【００３７】
また、合成樹脂製リング８１の外径側リング部８６には、前記の円周溝８２の開口側と反対側に開口するようにもう１つのリング状溝８７を形成してもよい。リング状溝８７を設けることで、合成樹脂製リング８１が温度変化を受けた場合のフランジ部８５による寸法変化の影響を取り除くことが可能となる。 【００３８】
〔実施の形態２〕 
図８は、本発明の実施の形態２に係る容量制御弁を示す縦断面図である。 
図８において、図２に記載された符号と同じ符号は図２と同じ部材を指しており、詳しい説明は省略する。 
図２に示す実施形態１においては、摩擦部材に接触する往復動部材がソレノイドの駆動ロッド６５であり、静止側部材が固定鉄心６４であるのに対し、図８に示す実施の形態２では、摩擦部材に接触する往復動部材が弁体４０であり、静止側部材が弁ハウジング３０である点で図２に示す実施形態１の場合と相違するものである。 【００３９】
弁ハウジング３０の内面に凹部９０が形成され、該凹部９０に弁体４０の外周に接触する摩擦部材９１が固定されている。摩擦部材９１は、弁体４０に接触することで摩擦（フリクション）を発生させ、弁体４０の動きに対して適度なブレーキ力を付与するためのものである。なお、摩擦部材９１は、シールをするためのものではないため、摩擦部材９１の感圧体５０側と可動鉄芯６６側とでの差圧はない。 【００４０】
摩擦部材９１の形状としては、図３に示すゴムリング７１、及び、図７に示す合成樹脂製リング８１のいずれの形状でもよい。 
また、摩擦部材９１の装着形式も、図４及び図５に示す装着形式のいずれでもよい。 【００４１】
次に、この容量制御弁Ｖを備えた容量可変型圧縮機Ｍが、自動車の空調システムに適用された場合の動作について説明する。 
先ず、エンジンの回転駆動力により、伝達ベルト（不図示）及び被動プーリ２４を介して回転軸２０が回転すると、回転軸２０と一体となって斜板２１が回転する。斜板２１が回転すると、斜板２１の傾斜角度に応じたストロークでピストン２２がシリンダ１４内を往復動し、吸入室１３からシリンダ１４内に吸入された冷媒ガスが、ピストン２２により圧縮されて吐出室１１に吐出される。そして、吐出された冷媒ガスは、コンデンサ２５から膨張弁２６を介してエバポレータ２７に供給され、冷凍サイクルを行いながら吸入室１３に戻るようになっている。 
ここで、冷媒ガスの吐出量は、ピストン２２のストロークにより決定され、ピストン２２のストロークは、制御室１２内の圧力（制御室圧力Ｐｃ）により制御される斜板２１の傾斜角度によって決定される。 
ピストン２２の圧縮の際、ピストン２２とシリンダ１４間のクリアランスからのブローバイガスが制御室１２へ常時流れ込み、制御室１２の圧力Ｐｃを上昇させようとする。しかし、固定オリフィス１９が設けられているため、連通路（吸入側通路）３３、４４、３４が閉じているときでも、制御室１２から吸入室に一定量の放圧が行われ、制御室１２内の圧力を適正に維持することができる。 【００４２】
最大吐出量の運転状態では、ソレノイド６０（コイル６８）が所定電流値（Ｉ）で通電されて、可動鉄芯６６及び駆動ロッド６５は、感圧体５０及びコイルスプリング６７の付勢力に抗して、第１弁部４１が座面３５ａに着座して連通路（吐出側通路）３１，３２を閉塞し、第２弁部４２が座面３６ａから離れて連通路（吸入側通路）３４，４４を開放した状態となる位置に弁体４０が移動する。 【００４３】
また、通常制御時（最大容量運転と最小容量運転の間）では、ソレノイド６０（コイル６７）への通電の大きさを適宜制御して電磁駆動力（付勢力）を変化させる。すなわち、電磁駆動力で弁体４０の位置を適宜調整して、所望の吐出量となるように第１弁部４１の開弁量と第２弁部４２の開弁量が制御される。 【００４４】
また、最小容量の運転状態では、ソレノイド６０（コイル６８）は非通電とされて、可動鉄芯６６及び駆動ロッド６５は、コイルスプリング６７の付勢力により後退して休止位置に停止すると共に、第１弁部４１が座面３５ａから離れて連通路（吐出側通路）３１、３２を開放し、第２弁部４２が座面３６ａに着座して連通路（吸入側通路）３４，４４を閉塞した状態となる位置に弁体４０が移動する。これにより、吐出流体（吐出圧力Ｐｄ）が連通路（吐出側通路）３１，３２，３３を経て制御室１２内に供給される。そして、斜板２１の傾斜角度は最も小さくなるように制御され、ピストン２２のストロークを最小にする。その結果、冷媒ガスの吐出量は最小になる。 【００４５】
上記の運転状態において、ソレノイド６０（コイル６７）への通電がなされている間、容量制御弁ＶはＰＷＭ制御の入力信号、特に４００〜５００Ｈｚの入力信号によって微振動を生じる。このため、連通路３２の開度が小さい時には、座面３５ａと弁体４０との相対距離が小さいため、座面３５ａと弁体４０とが無数に繰り返し衝突しようとする。  しかし、本発明においては、摩擦部材７１、９１であるゴムリング７２または合成樹脂製リング８１が設けられているため、ゴムリング７２、合成樹脂製リング８１に接触される往復動部材である駆動ロッド６５または弁体４０に対して摩擦によるブレーキ力が作用させられるため、座面３５ａと弁体４０との繰り返し衝突が抑制され、ノイズを低減することができる。また、座面３５ａと弁体４０との衝突によって発生する開度の変化も抑制することができる。 【００４６】
以上、本発明の実施例を図面により説明してきたが、具体的な構成はこれら実施例に限られるものではなく、本発明の要旨を逸脱しない範囲における変更や追加があっても本発明に含まれる。 【００４７】
例えば、前記実施例では、自動車等の空調システムに用いられる容量可変型圧縮機等の吐出量を圧力負荷に応じて制御する容量制御弁を例にして説明しているが、これに限らず、自動車用オートマチックトランスミッション等に用いられるソレノイドバルブであってもよい。 【００４８】
また、例えば、前記実施例では、ソレノイドの駆動により直接駆動される往復動部材として、ソレノイドの駆動を第一に受ける駆動ロッド、及び、駆動ロッドに一体的に連結された弁体について説明したが、これに限定されず、例えば、駆動ロッド及び弁体に連結されて駆動ロッドの変位を弁体に伝達する中間部材が用いられる場合にはその中間部材も往復動部材に包含される。 【００４９】
また、摩擦部材の形状については、図３及び図６、７に示すものに限らず、例えば、断面略円形のリングに図３に示す突起及び薄肉部を設けたり、または、断面略円形のリングに図６及び図７に示すようなリング状溝及び内径側リング部への複数の切欠部を設けたものでもよい。 
【符号の説明】
【００５０】
１０       ケーシング 
１１       吐出室 
１２       制御室（クランク室） 
１３       吸入室 
１４       シリンダ 
１５       連通路 
１６       連通路 
１７       連通路 
１８       連通路 
１９       固定オリフィス 
２０       回転軸 
２１       斜板 
２２       ピストン 
２３       連結部材 
２４       被動プーリ 
２５       コンデンサ（凝縮器） 
２６       膨張弁 
２７       エバポレータ（蒸発器） 
３０       弁ハウジング 
３１及び３２  連通路（吐出側通路）   
３２       連通路（弁孔）   
３３       連通路（制御室側通路） 
３４       連通路（吸入側通路） 
３５       第１弁室 
３５ａ     座面   
３６       第２弁室 
３６ａ     座面 
３７       ガイド通路 
３８       第３弁室 
３９       閉塞部材 
４０       弁体 
４１       第１弁部 
４２       第２弁部 
４３       第３弁部 
４３ａ     第３弁部の縮径部 
４３ｂ     第３弁部の拡径部 
４３ｃ     第３弁部の係合面 
４４       連通路 
５０       感圧体 
５１       ベローズ 
５３       アダプタ 
５３ａ     座面 
６０       ソレノイド 
６２       ケーシング 
６３       スリーブ 
６４       固定鉄芯 
６５       駆動ロッド 
６６       可動鉄芯 
６７       コイルスプリング 
６８       励磁用のコイル 
７０       固定鉄芯の内面の凹部 
７１       摩擦部材 
７２       ゴムリング 
７３       突起 
７４       肉薄部 
７５       固定鉄芯の内面の凹部 
７６       ゴムリングの奥側の面 
７７       凹部の受面 
７８       バックアップリング 
８１       合成樹脂製リング 
８２       リング状溝 
８３       内径側リング部 
８４       切欠部 
８５       フランジ部 
８６       外径側リング部 
８７       リング状溝 
９０       弁ハウジングの内面に凹部 
９１       摩擦部材 
Ｍ         斜板式容量可変型圧縮機 
Ｖ         容量制御弁 
Ｐｄ       吐出圧力 
Ｐｓ       吸入圧力 
Ｐｃ       制御室圧力 
【図１】
2013105411.tif 000003
【図２】
2013105411.tif 000004
【図３】
2013105411.tif 000005
【図４】
2013105411.tif 000006
【図５】
2013105411.tif 000007
【図６】
2013105411.tif 000008
【図７】
2013105411.tif 000009
【図８】
2013105411.tif 000010
【国際調査報告】
2013105411.tif 000011
2013105411.tif 000012
2013105411.tif 000013
2013105411.tif 000014